【手続補正書】
【提出日】令和2年4月27日(2020.4.27)
【手続補正１】
【補正対象書類名】特許請求の範囲
【補正対象項目名】全文
【補正方法】変更
【補正の内容】
【特許請求の範囲】
【請求項１】
患者の身体部位に圧迫治療を提供する為の装置であって、
身体部位より上又は身体部位自体に載置されるように構成される駆動ユニットであって、
一つ以上のモータと、
前記一つ以上のモータの動作を制御するように構成される制御装置と、
前記一つ以上のモータ及び前記制御装置との電気的連通状態にある電源と、
複数のプーリと、
前記一つ以上のモータにより引っ張られるように構成される一つ以上の駆動要素であって、前記複数のプーリに通される一つ以上の駆動要素と、を包含する駆動ユニットと、
前記身体部位の一部分に少なくとも部分的に巻かれるように構成される一つ以上の圧迫機構であって、前記プーリに装着されて前記プーリにより引っ張られるように構成される一つ以上の圧迫機構と、
を包含する装置。
【請求項２】
前記複数のプーリが複数の可動プーリと複数の固定プーリとを包含し、前記圧迫機構が前記可動プーリに装着される、請求項１の装置。
【請求項３】
前記可動プーリの移動を制限し、前記可動プーリを整合させるように構成される一つ以上の物理的ストップをさらに包含する、２の装置。
【請求項４】
前記駆動要素がコードとベルトとチェーンとから選択される、１の装置。
【請求項５】
前記駆動ユニットが、連接されて第１プレート部分と第２プレート部分とを包含するベースプレートを包含する、請求項１の装置。
【請求項６】
前記一つ以上のモータが、前記第１プレート部分に配置される第１モータと、前記第２プレート部分に配置される第２モータとを包含し、前記複数のプーリが、前記第１プレート部分に装着される第１固定プーリセットと、前記第２プレート部分に装着される第２固定プーリセットとを包含する、請求項５の装置。
【請求項７】
前記駆動ユニットがベースプレートを包含し、前記固定プーリが前記ベースプレートの内部の一つ以上の通路に配置される、請求項１の装置。
【請求項８】
前記可動プーリが前記ベースプレートの内部の一つ以上の通路に配置される、請求項７の装置。
【請求項９】
前記可動プーリと前記固定プーリとの間に延在する一つ以上の駆動コードが前記一つ以上の通路の内部での前記可動プーリの移動方向と整合されるように、前記可動プーリと前記固定プーリとが前記一つ以上の通路の内部に配設される、請求項８の装置。
【請求項１０】
前記制御装置との通信状態にある一つ以上のセンサをさらに包含し、前記一つ以上のセンサが、前記患者に提供される前記圧迫治療に関連するデータ、及び／又は、前記患者の状態に関連するデータを測定するように構成される、請求項１の装置。
【請求項１１】
前記一つ以上のセンサが、前記装置により前記身体部位に印加される圧力の大きさを測定するように構成されるセンサを包含する、請求項１の装置。
【請求項１２】
前記一つ以上のセンサが、前記身体部位の周囲寸法又は体積を測定するように構成されるセンサを包含する、請求項１の装置。
【請求項１３】
前記制御装置との通信状態にある無線通信モジュールをさらに包含する、請求項１の装置。
【請求項１４】
前記一つ以上の圧迫機構が衣服又は靴に一体化される、請求項１の装置。
【請求項１５】
前記駆動ユニットが前記衣服又は靴に一体化される、請求項１の装置。
【手続補正２】
【補正対象書類名】明細書
【補正対象項目名】０２０４
【補正方法】変更
【補正の内容】
【０２０４】
本明細書に含まれる例及び図は、主題が実践されうる特定実施形態を限定ではなく例示として示す。上述のように、他の実施形態がこれから利用又は導出されてもよく、その為、本開示の範囲を逸脱することなく構造及び論理的な代替及び変更が行われうる。発明の主題のこのような実施形態は、簡便性の為にのみ「発明」の語で個別的又は集合的に称され、実際には一つ以上が開示されている場合に何らかの単一の発明又は進歩的概念に本出願の範囲を恣意的に限定することは意図されていない。ゆえに、特定の実施形態が本明細書に図示及び説明されているが、同じ目的を達成すると考えられる構成が、示されている特定の実施形態の代わりに使用されてもよい。本開示は、様々な実施形態のいかなるそしてすべての適応又は変形を含むことが意図されている。上記の実施形態とここに明記されていない他の実施形態との組み合わせは、上記の説明を検討すると当業者には自明であろう。
〔付記１〕
患者の身体部位に圧迫治療を提供する為の装置であって、
身体部位より上又は身体部位自体に載置されるように構成される駆動ユニットであって、
一つ以上のモータと、
前記一つ以上のモータの動作を制御するように構成される制御装置と、
前記一つ以上のモータ及び前記制御装置との電気的連通状態にある電源と、
複数のプーリと、
前記一つ以上のモータにより引っ張られるように構成される一つ以上の駆動要素であって、前記複数のプーリに通される一つ以上の駆動要素と、を包含する駆動ユニットと、
前記身体部位の一部分に少なくとも部分的に巻かれるように構成される一つ以上の圧迫機構であって、前記プーリに装着されて前記プーリにより引っ張られるように構成される一つ以上の圧迫機構と、
を包含する装置。
〔付記２〕
前記複数のプーリが複数の可動プーリと複数の固定プーリとを包含し、前記圧迫機構が前記可動プーリに装着される、付記１の装置。
〔付記３〕
前記可動プーリの移動を制限し、前記可動プーリを整合させるように構成される一つ以上の物理的ストップをさらに包含する、２の装置。
〔付記４〕
前記駆動要素がコードとベルトとチェーンとから選択される、１の装置。
〔付記５〕
前記駆動ユニットが、連接されて第１プレート部分と第２プレート部分とを包含するベースプレートを包含する、付記１の装置。
〔付記６〕
前記一つ以上のモータが、前記第１プレート部分に配置される第１モータと、前記第２プレート部分に配置される第２モータとを包含し、前記複数のプーリが、前記第１プレート部分に装着される第１固定プーリセットと、前記第２プレート部分に装着される第２固定プーリセットとを包含する、付記５の装置。
〔付記７〕
前記駆動ユニットがベースプレートを包含し、前記固定プーリが前記ベースプレートの内部の一つ以上の通路に配置される、付記１の装置。
〔付記８〕
前記可動プーリが前記ベースプレートの内部の一つ以上の通路に配置される、付記７の装置。
〔付記９〕
前記可動プーリと前記固定プーリとの間に延在する一つ以上の駆動コードが前記一つ以上の通路の内部での前記可動プーリの移動方向と整合されるように、前記可動プーリと前記固定プーリとが前記一つ以上の通路の内部に配設される、付記８の装置。
〔付記１０〕
前記制御装置との通信状態にある一つ以上のセンサをさらに包含し、前記一つ以上のセンサが、前記患者に提供される前記圧迫治療に関連するデータ、及び／又は、前記患者の状態に関連するデータを測定するように構成される、付記１の装置。
〔付記１１〕
前記一つ以上のセンサが、前記装置により前記身体部位に印加される圧力の大きさを測定するように構成されるセンサを包含する、付記１の装置。
〔付記１２〕
前記一つ以上のセンサが、前記身体部位の周囲寸法又は体積を測定するように構成されるセンサを包含する、付記１の装置。
〔付記１３〕
前記制御装置との通信状態にある無線通信モジュールをさらに包含する、付記１の装置。
〔付記１４〕
前記一つ以上の圧迫機構が衣服又は靴に一体化される、付記１の装置。
〔付記１５〕
前記駆動ユニットが前記衣服又は靴に一体化される、付記１の装置。
〔付記１６〕
患者の身体部位を圧迫する為の方法であって、
着用圧迫装置の一つ以上の圧迫要素を前記身体部位の周りに締結することであって、前記着用圧迫装置が、圧迫プレートと、前記圧迫プレートに配置されて、前記身体部位の周りに締結された前記一つ以上の圧迫要素を締め付けるか緩めるように構成される一つ以上のモータと、生理学的データ及び／又は装置性能データを測定するように構成される一つ以上のセンサと、パラメータセットに従って前記一つ以上のモータを制御する為の制御装置とを包含することと、
圧迫治療を開始する前に、前記一つ以上のセンサが予決定又は設定のパラメータを測定するまで前記一つ以上の圧迫要素の引張りを調節することと、
前記一つ以上のモータを使用して前記一つ以上の圧迫要素を締め付けることにより前記身体部位を圧迫することと、前記一つ以上のモータを使用して前記一つ以上の圧迫要素を緩めることにより前記身体部位を脱圧迫することとを包含する、第１圧迫サイクルを開始することと、
第２圧迫サイクルを開始する前に少なくとも予決定又は設定の時間量を待機することと、
前記一つ以上のセンサを使用して生理学的データ及び／又は装置性能データを測定することと、
測定された前記生理学的データ及び／又は装置性能データに基づいて前記処置パラメータを調整することと、
を包含する方法。
〔付記１７〕
前記予決定又は設定のパラメータが前記圧迫装置と前記身体部位との間の境界圧力である、付記１６の方法。
〔付記１８〕
測定される前記生理学的データが、前記身体部位の前記周囲寸法又は前記身体部位の体積の測定値を包含する、付記１６の方法。
〔付記１９〕
前記一つ以上の圧迫要素の前記圧力を予決定のレベルに調節して、少なくとも約１分から２４時間である長時間にわたって前記一つ以上の圧迫要素の前記引張りを前記予決定のレベルに維持することにより、受動的圧迫治療を投与することをさらに包含する、付記１６の方法。
〔付記２０〕
測定された前記生理学的データ及び／又は装置性能データを遠隔装置へ無線で送信することをさらに包含する、付記１６の方法。
〔付記２１〕
さらに、
前記着用圧迫装置と第２着用圧迫装置との間に通信を確立することと、
前記着用圧迫装置と前記第２着用圧迫装置との間で圧迫治療の投与を連携させることと、
を包含する、付記１６の方法。
〔付記２２〕
前記一つ以上の圧迫要素が、連続的に締められる少なくとも二つの圧迫要素を包含する、付記１６の方法。
〔付記２３〕
身体部位を圧迫する為の装置であって、
第１端部分と第２端部分とを有する圧迫伝達機構であって、前記身体部位の少なくとも一部分の周りに巻かれるように構成される圧迫伝達機構と、
前記圧迫伝達機構を締め付ける及び／又は緩めるように構成される締め付け機構と、
前記圧迫伝達機構の前記第１端部分の開始位置を用意するように構成される第１機械的ストップと、
前記圧迫伝達機構の前記第２端部分の開始位置を用意するように構成される第２機械的ストップと、
前記システムにより前記身体部位に印加される歪み、力、又は圧力を測定するように構成されるセンサと、
前記圧迫伝達機構の前記第１端部分と前記第２端部分の両方を同時に移動させることにより前記圧迫伝達機構を締め付ける及び／又は緩めるように構成されるモータと、
制御装置であって、
前記センサが設定又は予決定の歪み、力、又は圧力を測定する時にインジケータを用意し、
前記歪みゲージが前記設定又は予決定の歪み、力、又は圧力を測定した後で前記モータを作動させることにより圧迫処置を開始する、
ように構成される制御装置と、
を包含する装置。
〔付記２４〕
前記圧迫伝達機構が一つ以上の圧迫ストラップを包含する、付記２３の装置。
〔付記２５〕
前記圧迫伝達機構がさらに、前記一つ以上の圧迫ストラップにより発生される圧力を分配する為の一つ以上のパッドを包含する、付記２４の装置。
〔付記２６〕
前記圧迫伝達機構が、リール式引張り機構により引っ張られるように構成される一つ以上の紐材を包含する、付記２３の装置。
〔付記２７〕
圧迫治療を投与する為のシステムであって、
圧迫プレートと、前記圧迫プレートの上に配置され、第１身体部位の周りに締結されるように構成される一つ以上の圧迫要素を締め付けるか緩めるように構成される一つ以上のモータと、生理学的データ及び／又は装置性能データを測定するように構成される一つ以上のセンサと、通信モジュールと、パラメータセットに従って前記一つ以上のモータを制御する為の制御装置とを包含する第１圧迫装置と、
圧迫プレートと、前記圧迫プレートに配置され、第２身体部位の周りに締結されるように構成される一つ以上の圧迫要素を締め付けるか緩めるように構成される一つ以上のモータと、生理学的データ及び／又は装置性能データを測定するように構成される一つ以上のセンサと、通信モジュールと、パラメータセットに従って前記一つ以上のモータを制御する為の制御装置とを包含する第２圧迫装置と、
を包含し、
前記第１圧迫装置と前記第２圧迫装置とが互いと通信して圧迫治療の投与を連携させるように構成される、
システム。
〔付記２８〕
前記一つ以上のモータにより駆動され、前記一つ以上の圧迫要素を締め付けるか緩めるように構成されるプーリ式駆動列を前記第１圧迫装置が包含する、付記２７のシステム。
〔付記２９〕
前記プーリ式駆動列が複数の可動プーリを包含する、付記２７のシステム。
〔付記３０〕
前記可動プーリの移動を制限し、前記可動プーリを整合させるように構成される一つ以上の物理的ストップを前記プーリ式駆動列がさらに包含する、付記２９のシステム。
〔付記３１〕
圧迫処置を対象者に提供する為のシステムであって、
前記対象者の身体部位に圧迫を与えるように構成される着用圧迫装置であって、圧迫プレートと、前記圧迫プレートの上に配置される一つ以上のモータと、前記身体部位の周りに巻かれて前記一つ以上のモータにより締め付けられるか緩められるように構成される一つ以上の圧迫機構と、生理学的データ及び／又は装置性能データを測定するように構成される一つ以上のセンサと、パラメータセットに従って前記一つ以上のモータを制御する為の制御装置と、前記制御装置及び前記一つ以上のセンサとの通信状態にある無線通信モジュールとを包含する着用圧迫装置と、
前記着用圧迫装置の前記無線通信モジュールと無線で通信し、測定された前記生理学的データ及び／又は装置性能データを受信し、前記一つ以上のモータを制御する為前記パラメータセットを調整するように構成される遠隔装置と、
を包含するシステム。
〔付記３２〕
前記遠隔装置との通信状態にあるサーバ又はクラウドコンピューティングネットワークをさらに包含し、前記サーバ又はクラウドコンピューティングネットワークが、母集団健康データと個人健康データとを含むデータベースを包含し、前記母集団健康データが、圧迫処置を使用したか使用している対象者の母集団からのデータを包含し、前記個人健康データが、前記対象者の医療データと前記対象者の生理学的データと前記装置性能データとを包含し、前記遠隔装置、サーバ又はクラウドコンピューティングネットワークが、前記母集団健康データと前記個人健康データとに基づいて前記一つ以上のモータを制御する為前記パラメータセットを調整するように構成される、付記３１のシステム。
〔付記３３〕
スマートフォンとスマートウォッチとタブレットコンピュータとラップトップコンピュータとサーバとコンピューティング装置とデスクトップコンピュータとから成るグループから前記遠隔装置が選択される、付記３１のシステム。
〔付記３４〕
前記着用圧迫装置を無線で操作するように前記遠隔装置がプログラミングされる、付記３１のシステム。
〔付記３５〕
能動的圧迫モードと受動的圧迫モードとの間で交互する前記着用圧迫装置を無線で操作するように前記遠隔装置がプログラミングされる、付記３４のシステム。
〔付記３６〕
一つ以上の処置プロトコルに従って前記着用圧迫装置を無線で操作するように前記遠隔装置がプログラミングされる、付記３４のシステム。
〔付記３７〕
前記処置プロトコルが予決定される、付記３６のシステム。
〔付記３８〕
前記処置プロトコルが前記対象者及び／又は医療提供者によりカスタマイズされる、付記３６のシステム。
〔付記３９〕
測定された前記生理学的データ及び／又は前記装置性能データに基づいて前記処置プロトコルのうち一つ以上を修正するように前記制御装置及び／又は前記遠隔装置がプログラミングされる、付記３６のシステム。
〔付記４０〕
測定された前記生理学的データ及び／又は前記装置性能データに基づいて前記処置プロトコルの一つを選択するように前記制御装置及び／又は前記遠隔装置がプログラミングされる、付記３６のシステム。
〔付記４１〕
測定された前記生理学的データ及び／又は前記装置性能データを表示するように前記遠隔装置がプログラミングされる、付記３１のシステム。
〔付記４２〕
対象者コンプライアンスを監視して対象者コンプライアンスデータを表示するように前記遠隔装置がプログラミングされる、付記３１のシステム。
〔付記４３〕
前記一つ以上のセンサが、歪みゲージと圧力センサと力センサと心拍数センサとＧＰＳ装置と血圧センサとマイクロフォンとホール効果センサと汗生化学センサと光センサとインピーダンスセンサと血餅検出センサと血流センサと超音波センサと温度センサと気体センサと血液化学センサと身体活動センサと酸素センサとＥＫＧセンサとジャイロスコープと加速度計とから成るグループから選択される、付記３１のシステム。
〔付記４４〕
測定された前記生理学的データがプレチスモグラフィデータを含む、付記３１のシステム。
〔付記４５〕
前記制御装置及び／又は前記遠隔装置が、前記プレチスモグラフィデータに少なくとも部分的に基づいて病状及び／又は処置効果を判断するようにプログラミングされる、付記４４のシステム。
〔付記４６〕
前記制御装置及び／又は前記遠隔装置が、前記プレチスモグラフィデータに基づいて前記処置プロトコルのうち一つ以上を修正するようにプログラミングされる、付記４４のシステム。
〔付記４７〕
処置関連データについて前記対象者に指示するように前記遠隔装置がプログラミングされる、付記３１のシステム。
〔付記４８〕
前記圧迫処置及び／又は前記圧迫処置に対するコンプライアンスに関する前記対象者リマインダを送るように前記遠隔装置がプログラミングされる、付記３１のシステム。
〔付記４９〕
前記圧迫処置及び／又は前記対象者に関する更新を医療提供者、家族、及び／又は、他の管理者に送るように前記遠隔装置がプログラミングされる、付記３１のシステム。
〔付記５０〕
測定された前記生理学的データ及び／又は装置性能データを前記サーバ又はクラウドコンピューティングネットワークにアップロードするように前記遠隔装置が構成される、付記３１のシステム。
〔付記５１〕
圧迫処置を対象者に提供する為のシステムであって、
処置パラメータセットに従って前記対象者の身体部位に圧迫を与えるように構成される着用圧迫装置であって、前記身体部位に印加される圧迫のレベルを測定すると共に生理学的データ及び／又は装置性能データを測定するように構成される複数のセンサと、前記身体部位に印加される圧迫のレベルを記録するメモリと、前記着用圧迫装置により与えられる前記圧迫を制御する為の制御装置と、前記制御装置との通信状態にある無線通信モジュールとを包含する着用圧迫装置と、
前記着用圧迫装置の前記無線通信モジュールと無線で通信し、測定された前記生理学的データ及び／又は装置性能データを受信し、前記着用圧迫装置を制御する為前記処置パラメータセットを調整するように構成される遠隔装置と、
前記遠隔装置との通信状態にあるサーバ又はクラウドコンピューティングネットワークであって、母集団健康データと個人健康データとを含むデータベースを包含するサーバ又はクラウドコンピューティングネットワークであり、前記母集団健康データが、圧迫処置を使用したか使用している対象者の母集団からのデータを包含し、前記個人健康データが、前記対象者の医療データと前記対象者の生理学的データと前記装置性能データとを包含し、前記遠隔装置、サーバ又はクラウドコンピューティングネットワークが、前記母集団健康データと前記個人健康データとに基づいて前記圧迫装置を制御する為前記パラメータセットを調整するように構成される、サーバ又はクラウドコンピューティングネットワークと、
を包含するシステム。
〔付記５２〕
前記対象者の身体部位周囲寸法と身体部位体積と姿勢と身体活動レベルと静脈充満時間と静脈逆流と静脈指数と潰瘍状態と心拍数と酸素レベルと体温と血圧と汗生化学とインピーダンスと体温と酸素レベルと電気活動と血流動態とから成るグループから選択される生理学的データを測定するように前記複数のセンサが構成される、付記５１のシステム。
〔付記５３〕
前記圧迫装置を制御する為の前記処置パラメータセットが、圧迫レベルと圧迫期間と圧迫頻度と圧迫速度とを含む、付記５１のシステム。
〔付記５４〕
前記圧迫装置がさらに、一つ以上のモータにより駆動されるプーリ式駆動列を含む、付記５１のシステム。
〔付記５５〕
前記圧迫装置を制御する為の前記パラメータセットが、人工知能又は機械学習アルゴリズムに基づいて修正される、付記５１のシステム。
〔付記５６〕
前記遠隔装置、サーバ又はクラウドコンピューティングネットワークが、前記圧迫処置に対する前記対象者のコンプライアンスを監視するようにプログラミングされる、付記５１のシステム。
〔付記５７〕
前記遠隔装置、サーバ又はクラウドコンピューティングネットワークが、圧迫処置を開始するように前記対象者にリマインダを送るようプログラミングされる、付記５１のシステム。
〔付記５８〕
前記遠隔装置、サーバ又はクラウドコンピューティングネットワークが、前記対象者及び他の管理者により確認されうる前記対象者の圧迫処置に関する状態更新を作成するように構成される、付記５１のシステム。
〔付記５９〕
圧迫治療を対象者に投与する為の装置であって、
前記対象者の身体部位を圧迫するように構成される着用圧迫機構と、
前記対象者の生理学的データ及び／又は前記着用圧迫機構の性能データを測定するように構成される一つ以上のセンサと、
制御装置であって、
圧迫パラメータセットに基づいて前記着用圧迫機構を制御すると共に、
測定された前記生理学的データ及び／又は性能データに基づいて、機械学習及び／又は人工知能アルゴリズムを使用して前記圧迫パラメータセットを修正する、
ように構成される制御装置と、
を包含する装置。
〔付記６０〕
圧迫治療を対象者に投与する為の装置であって、
前記対象者の身体部位を圧迫するように構成される着用圧迫機構と、
前記着用圧迫機構と前記身体部位との間の境界圧力を測定するように構成されるセンサと、
制御装置であって、
圧迫パラメータセットに基づいて前記着用圧迫機構を制御し、
測定された前記境界圧力に基づいて前記身体部位の圧迫を開始する、及び／又は、前記圧迫パラメータセットを調整する、
ように構成される制御装置と、
を包含する装置。